(57)【特許請求の範囲】
【請求項１】
ネットワーク接続された携帯端末のディスプレイに表示させる画面として、患者に対して看護師が実施するものであって複数に分類された看護業務項目の内の一の看護業務項目の情報を、前記患者を一覧表示する患者情報の表示欄における前記患者にそれぞれ対応付けて表示する画面を作成する画面作成手段と、
作成した前記画面の画面データを前記携帯端末に送信する画面送信手段と、
前記携帯端末から前記ディスプレイに表示する画面を切り替える信号を受信する画面切替信号受信手段と、
を備え、
前記画面切替信号受信手段が前記携帯端末から前記ディスプレイの画面を、所定の看護業務項目の画面に切り替える信号を受信した場合、前記画面作成手段は、前記患者を一覧表示する患者情報の表示欄を維持しつつ、当該所定の看護業務項目の情報を前記患者に対応付けて表示する画面を作成する、
画面作成サーバ。
【請求項２】
前記画面切替信号受信手段が前記携帯端末から前記ディスプレイの画面を、所定の患者に対応付けられた複数の看護業務項目を表示する画面に切り替える信号を受信した場合、前記画面作成手段は、当該所定の患者に対応付けられた複数の看護業務項目を表示する画面を作成する、
請求項１記載の画面作成サーバ。
【請求項３】
ディスプレイと、
複数のキーが配されたキーボードと、
前記ディスプレイに表示され、患者に対して看護師が実施するものであって複数に分類された看護業務項目の内の一の看護業務項目の情報を、前記患者を一覧表示する患者情報の表示欄における前記患者にそれぞれ対応付けて表示する画面を表示する手段と、
前記キーボード上に配されたいずれかのキーの選択操作により患者に対して看護師が実施するものであって複数に分類された看護業務項目の内の一の看護業務項目を指定する項目指定手段と、
前記ディスプレイの画面を、前記患者を一覧表示する患者情報の表示欄を維持しつつ、前記項目指定手段により指定された前記看護業務項目が複数の前記看護業務項目の１つとして選択された画面へ切り替える切替手段と、
を備える携帯端末。
【請求項４】
前記ディスプレイに表示された前記患者情報の表示欄上の所定の患者を指定する患者指定手段を更に備え、
前記切替手段は、前記ディスプレイの画面を、前記患者指定手段により指定された前記所定の患者を対象とする複数の看護業務項目を表示する対象患者の詳細看護業務画面へ切り替える、
請求項３記載の携帯端末。
【請求項５】
前記キーボードは、文字や輪郭が表面にマトリクス状に印刷された複数の固定キーが配置されているメンブレン方式のキーボードである、
請求項３記載の携帯端末。
【請求項６】
コンピュータを、
ネットワーク接続された携帯端末のディスプレイに表示させる画面として、患者に対して看護師が実施するものであって複数に分類された看護業務項目の内の一の看護業務項目の情報を、前記患者を一覧表示する患者情報の表示欄における前記患者にそれぞれ対応付けて表示する画面を作成する画面作成手段と、
作成した前記画面の画面データを前記携帯端末に送信する画面送信手段と、
前記携帯端末から前記ディスプレイに表示する画面を切り替える信号を受信する画面切替信号受信手段と、
として機能させ、
前記画面切替信号受信手段が前記携帯端末から前記ディスプレイの画面を、所定の看護業務項目の画面に切り替える信号を受信した場合、前記画面作成手段は、前記患者を一覧表示する患者情報の表示欄を維持しつつ、当該所定の看護業務項目の情報を前記患者に対応付けて表示する画面を作成する、
プログラム。
【発明の詳細な説明】
【技術分野】
【０００１】
本発明の実施形態は、画面作成サーバ、携帯端末およびプログラムに関する。
【背景技術】
【０００２】
従来、看護師の看護行為を支援するためのシステムがある。この種のシステムは、サーバと、ＰＤＡ（Personal  Digital  Assistants）や携帯電話等の携帯端末とを含む。携帯端末は、例えば無線ＬＡＮ（Local  Area  Network）によってサーバと接続される。サーバは、看護師や患者に関するデータ等、システム全体で使用されるデータを記録し管理する。携帯端末は、看護師が患者への処置内容を確認したり、処置結果を入力したりするためのもので、看護師によって携帯される。
【発明の概要】
【発明が解決しようとする課題】
【０００３】
しかしながら、携帯端末は、オペレータである看護師が片手で本体を持てるように、縦（幅）方向の寸法よりも横（幅）方向の寸法が短く、縦長の形状をしているため、画面のサイズが小さい。このため、１画面に表示できる情報量が少ないという問題がある。
【０００４】
また、携帯端末では画面が小さいため、画面上に全ての機能ボタンを配置した場合、重要となる情報の表示エリアが狭くなり、使い勝手が悪くなるという問題がある。
【課題を解決するための手段】
【０００５】
実施形態の画面作成サーバは、ネットワーク接続された携帯端末のディスプレイに表示させる画面として、患者に対して看護師が実施するものであって複数に分類された看護業務項目の内の一の看護業務項目の情報を、前記患者を一覧表示する患者情報の表示欄における前記患者にそれぞれ対応付けて表示する画面を作成する画面作成手段と、作成した前記画面の画面データを前記携帯端末に送信する画面送信手段と、前記携帯端末から前記ディスプレイに表示する画面を切り替える信号を受信する画面切替信号受信手段と、を備え、前記画面切替信号受信手段が前記携帯端末から前記ディスプレイの画面を、所定の看護業務項目の画面に切り替える信号を受信した場合、前記画面作成手段は、前記患者を一覧表示する患者情報の表示欄を維持しつつ、当該所定の看護業務項目の情報を前記患者に対応付けて表示する画面を作成する。
【０００６】
実施形態の携帯端末は、ディスプレイと、複数のキーが配されたキーボードと、前記ディスプレイに表示され、患者に対して看護師が実施するものであって複数に分類された看護業務項目の内の一の看護業務項目の情報を、前記患者を一覧表示する患者情報の表示欄における前記患者にそれぞれ対応付けて表示する画面を表示する手段と、前記キーボード上に配されたいずれかのキーの選択操作により患者に対して看護師が実施するものであって複数に分類された看護業務項目の内の一の看護業務項目を指定する項目指定手段と、前記ディスプレイの画面を、前記患者を一覧表示する患者情報の表示欄を維持しつつ、前記項目指定手段により指定された前記看護業務項目が複数の前記看護業務項目の１つとして選択された画面へ切り替える切替手段と、を備える。
【０００７】
実施形態のプログラムは、コンピュータを、ネットワーク接続された携帯端末のディスプレイに表示させる画面として、患者に対して看護師が実施するものであって複数に分類された看護業務項目の内の一の看護業務項目の情報を、前記患者を一覧表示する患者情報の表示欄における前記患者にそれぞれ対応付けて表示する画面を作成する画面作成手段と、作成した前記画面の画面データを前記携帯端末に送信する画面送信手段と、前記携帯端末から前記ディスプレイに表示する画面を切り替える信号を受信する画面切替信号受信手段と、として機能させ、前記画面切替信号受信手段が前記携帯端末から前記ディスプレイの画面を、所定の看護業務項目の画面に切り替える信号を受信した場合、前記画面作成手段は、前記患者を一覧表示する患者情報の表示欄を維持しつつ、当該所定の看護業務項目の情報を前記患者に対応付けて表示する画面を作成する。
【図面の簡単な説明】
【０００８】
【図１】図１は、実施形態の看護師業務支援システムのシステム構成を示す全体構成図である。
【図２】図２は、看護師業務支援携帯端末の外観を示す平面図である。
【図３】図３は、看護師業務支援携帯端末のハードウェア構成を示すブロック図である。
【図４】図４は、看護師業務支援サーバのハードウェア構成を示すブロック図である。
【図５】図５は、看護師業務支援サーバのＲＡＭに形成される主要なメモリエリアを示す模式図である。
【図６】図６は、看護師業務支援システムの機能構成を示すブロック図である。
【図７】図７は、画面表示処理の流れを示すフローチャートである。
【図８】図８は、ログイン画面の一例を示す正面図である。
【図９】図９は、ログイン情報受信処理の流れを示すフローチャートである。
【図１０】図１０は、看護師ワークシート画面の一例を示す正面図である。
【図１１】図１１は、看護師ワークシート画面の一例を示す正面図である。
【図１２】図１２は、看護師ワークシート画面の一例を示す正面図である。
【図１３】図１３は、キー入力情報受信処理の流れを示すフローチャートである。
【図１４】図１４は、切り替え後の看護師ワークシート画面の一例を示す正面図である。
【図１５】図１５は、画面タッチ情報受信処理の流れを示すフローチャートである。
【図１６】図１６は、切り替え後の患者別ワークシート画面の一例を示す正面図である。
【発明を実施するための形態】
【０００９】
以下では、看護師業務支援システムを例に本実施形態に係る画面作成サーバ、携帯端末およびプログラムについて、図面を参照して説明する。看護師業務支援システムは、看護師の看護行為を支援するためのシステムである。
【００１０】
図１は、実施形態の看護師業務支援システム１０のシステム構成を示す全体構成図である。看護師業務支援システム１０は、病院基幹サーバ１１と、看護師業務支援サーバ１２と、複数の無線基地局１３と、複数の看護師業務支援携帯端末１４とを含む。病院基幹サーバ１１、看護師業務支援サーバ１２及び各無線基地局１３は、有線のＬＡＮ１５によって接続されている。各看護師業務支援携帯端末１４は、バッテリを主電源とする携帯型の無線通信端末、いわゆるハンディターミナル（携帯端末）であり、各無線基地局１３との間で無線ＬＡＮ１６を構築する。各看護師業務支援携帯端末１４は、看護師が患者への処置内容を確認したり、処置結果を入力したりするためのもので、それぞれ看護師が携帯して使用する。
【００１１】
病院基幹サーバ１１は、患者データベース１１１、看護師データベース１１２、病室データベース１１３等の病院基幹データベース１１０を管理する。
【００１２】
患者データベース１１１には、全ての患者に関する様々なデータが記録される。詳しくは、各患者を識別するための患者ＩＤに関連付けて、その患者の患者名、性別、年齢、診療科目、疾患、主治医、診療履歴、処置履歴等のデータが記録される。また、入院患者の場合には、さらに入院日、病室ＩＤ、退院予定日等のデータも記録される。
【００１３】
看護師データベース１１２には、全ての看護師に関する様々なデータが記録される。詳しくは、各看護師を識別するための看護師ＩＤに関連付けて、看護師名、担当診療科目、担当患者の患者ＩＤ、業務予定（日単位）、業務予定（患者単位）、ケア予定（患者単位）、検査予定（患者単位）、計測予定（患者単位）、業務実施結果等のデータが記録される。
【００１４】
病室データベース１１３には、各病室に関する様々なデータが記録される。詳しくは、各病室の病室ＩＤに関連付けて、その病室に設置されているベッド毎の識別番号、そのベッドを使用する入院患者の患者ＩＤ、入院日、退院予定日、主治医、担当看護師ＩＤ等のデータが記録される。
【００１５】
看護師業務支援サーバ１２は、業務画面作成アプリケーションプログラム１２８（図４を参照）を実装しており、画面作成サーバとして機能する。看護師業務支援サーバ１２は、業務画面作成アプリケーションプログラム１２８に従い、看護師業務支援携帯端末１４の表示部に表示させるための画面を作成する。画面は、病院基幹データベース１１０に記録されている患者、看護師、病室などに関するデータを基に、看護師業務支援携帯端末１４からの入力に応じて作成される。作成された画面データは、無線基地局１３経由で看護師業務支援携帯端末１４に無線送信される。
【００１６】
また、看護師業務支援サーバ１２は、各看護師業務支援携帯端末１４から無線送信されたデータを無線基地局１３経由で受信すると、その受信データを有線ＬＡＮ１５経由で病院基幹サーバ１１に転送する。各看護師業務支援携帯端末１４からのデータを受信した病院基幹サーバ１１は、その受信データを基に病院基幹データベース１１０のデータを適宜更新する。
【００１７】
次に、看護師業務支援携帯端末１４について詳述する。ここで、図２は看護師業務支援携帯端末１４の外観を示す平面図、図３は看護師業務支援携帯端末１４のハードウェア構成を示すブロック図である。
【００１８】
看護師業務支援携帯端末１４は、携帯型の本体として、図２で左側に配置される第１の部材２１と、図２で右側に配置される第２の部材２２とを備える。第１の部材２１及び第２の部材２２は、いずれも略直方体状をなしている。第２の部材２２は、ヒンジ等の止め具２３を介して第１の部材２１に回動自在に連結されている。この止め具２３により、第２の部材２２は、第１の部材２１に対して第２の部材２２を開いた状態（図２）と閉じた状態（不図示）との間で開閉動作する。
【００１９】
第１の部材２１は、第２の部材２２を第１の部材２１に対して開いたときに外側に露出される面２１Ａに、タッチパネル２４を配置している。また、図２で左側の側面２１Ｂにサイドキー２５を設けている。第２の部材２２は、この第２の部材２２を第１の部材２１に対して開いたときに外側に露出される面２２Ａに、メンブレン方式のキーボード２６を配置している。
【００２０】
タッチパネル２４は、液晶ディスプレイ（以下、ディスプレイと略す）２４１の画面上にタッチパネルセンサ２４２を重ねて配置してなり、表示入力部２４Ａとテンキー部２４Ｂとに区分されている。表示入力部２４Ａには、看護師業務支援サーバ１２で作成される画面が表示される。テンキー部２４Ｂには、「０」〜「９」のテンキーの他、「戻る」キー、「Ｃ」のクリアキー、「更新」キー、「△」及び「▽」の上下キー、「・」の小数点キーが配置される。
【００２１】
メンブレン方式のキーボード２６には、文字や輪郭が表面にマトリクス状に印刷された複数の固定キーが配置されている。メンブレン方式のキーボード２６は、他の種類のキーボードと比較して泥や液体等の汚れに強いという特徴を有している。各固定キーには、それぞれ看護師業務を支援するための機能が割り付けられている。
【００２２】
例えば固定キー「ワークシート」２６ａには、看護師ワークシートのデフォルト画面としての業務予定画面を表示入力部２４Ａに表示させることを宣言するキーとしての機能が割り付けられている。固定キー「ケア」２６ｂには、ケア予定画面を表示入力部２４Ａに表示させることを宣言するキーとしての機能が割り付けられている。固定キー「検査」２６ｃには、検査予定画面を表示入力部２４Ａに表示させることを宣言するキーとしての機能が割り付けられている。固定キー「計測」２６ｄには、計測予定画面を表示入力部２４Ａに表示させることを宣言するキーとしての機能が割り付けられている。
【００２３】
上記の固定キー２６ａ〜２６ｄは、後述する看護師業務支援携帯端末１４の表示入力部２４Ａに表示される「業務予定」、「ケア予定」、「検査予定」、「計測予定」等の看護業務項目にかかる画面の切り替えに用いられる。
【００２４】
また、「バイタル」２６ｅ，「身長／体重」２６ｆ，「食事摂取量」２６ｇ，「血糖値」２６ｈ等の固定キーは、患者指定や患者別の看護師ワークシートを選択した段階で操作することを前提としたショートカットキーである。特に、使用頻度の高い作業項目をショートカットキーとして固定キーに割り付けている。
【００２５】
看護師業務支援携帯端末１４は、第１の部材２１または第２の部材２２のいずれか一方に、制御ボード３０を内蔵している。制御ボード３０には、図３に示すように、ＣＰＵ（Central  Processing  Unit）３１、ＲＯＭ（Read  Only  Memory）３２、ＲＡＭ（Random  Access  Memory）３３、時計部３４、無線部３５、キーコントローラ３６及びタッチパネルコントローラ３７が配置されている。ＣＰＵ３１と、ＲＯＭ３２、ＲＡＭ３３、時計部３４、無線部３５、キーコントローラ３６及びタッチパネルコントローラ３７とは、アドレスバス，データバス等のバスライン３８で接続されている。
【００２６】
ＲＯＭ３２は、看護師業務支援プログラム３２１を含むプログラムや設定データ等の固定的データを記憶する。ＲＡＭ３３は、ディスプレイ２４１に表示させる画面データや看護師業務支援サーバ１２に送信するデータ等の可変的データを記憶する。時計部３４は、現在の日付及び時刻を計時する。無線部３５は、無線基地局１３との間で無線ＬＡＮ６を利用したデータの送受信を司る。キーコントローラ３６は、サイドキー２５及びキーボード２６の各固定キーを監視し、キー入力の有無を判別する。タッチパネルコントローラ３７は、タッチパネル２４のディスプレイ２４１に表示される画面を制御する。また、タッチパネルコントローラ３７は、タッチパネルセンサ２４２の信号により画面上のタッチ位置を示す二次元座標を検出する。
【００２７】
次に、看護師業務支援サーバ１２について詳述する。図４は、看護師業務支援サーバ１２のハードウェア構成を示すブロック図である。図４に示すように、看護師業務支援サーバ１２は、制御部本体としてＣＰＵ１２１を搭載する。また、メインメモリとしてのＲＯＭ１２２及びＲＡＭ１２３と、補助記憶装置としてのＨＤＤ（Hard  Disk  Drive）１２４と、現在日時を計時する時計部１２５と、ＬＡＮ１５を通じて行うデータ通信を制御するＬＡＮコントローラ１２６とを備える。そして、ＣＰＵ１２１と、ＲＯＭ１２２，ＲＡＭ１２３，ＨＤＤ１２４，時計部１２５及びＬＡＮコントローラ１２６とを、アドレスバス，データバス等のバスライン１２７で接続している。
【００２８】
ＲＯＭ１２２には、業務画面作成アプリケーションプログラム１２８が記憶されている。
【００２９】
ＲＡＭ１２３には、図５に示すように、編集バッファ５１と、ページメモリ５２と、カウンタメモリ５３とが形成されている。編集バッファ５１は、看護師業務支援携帯端末１４の表示入力部２４Ａに表示させる画面を編集する。ページメモリ５２は、編集バッファ５１で編集される画面データをページ毎に記憶する。カウンタメモリ５３は、ページ数カウンタＰ、行数カウンタＬ及び患者数カウンタＭを含む。
【００３０】
かかる構成の看護師業務支援サーバ１２は、図６に示すように、バッファ区分手段６１、画面作成手段６２、画面切替信号受信手段６３及び画面送信手段６４を有する。
【００３１】
バッファ区分手段６１は、看護師業務支援携帯端末１４のディスプレイ２４１に表示させる画面として、第１の項目が１列目に表示され、かつ、この第１の項目に関連付けられた１乃至複数の第２の項目が２列目に表示される分割画面を作成する際に、編集バッファ５１を、第１の項目がセットされる第１の領域５１Ａと第２の項目がセットされる第２の領域５１Ｂとに区分する。
【００３２】
画面作成手段６２は、第１の項目を第１の領域５１Ａにセットし、かつ第２の項目を全て第２の領域５１Ｂにセットする。また、画面作成手段６２は、第１の項目を第１の領域５１Ａにセットし、かつ第２の項目を第２の領域５１Ｂの残り行数を超えない範囲で第２の領域５１Ｂにセットした後、編集バッファ５１のデータをページメモリ５２に転送して編集バッファ５１のデータをクリアし、その後、第１の項目を第１の領域５１Ａに再度セットし、かつ第２の項目の残りを第２の領域５１Ｂにセットする。
【００３３】
画面作成手段６２は、例えば、ネットワーク接続された看護師業務支援携帯端末１４のディスプレイ２４１に表示させる画面として、患者に対して看護師が実施するものであって複数に分類された看護業務項目の内の一の看護業務項目の情報を患者に対応付けて表示する画面を作成する。
【００３４】
画面切替信号受信手段６３は、看護師業務支援携帯端末１４からディスプレイ２４１に表示する画面を切り替える信号を受信する。
【００３５】
画面送信手段６４は、ページメモリ５２に記憶される画面データを看護師業務支援携帯端末１４に送信する。
【００３６】
一方、看護師業務支援携帯端末１４は、看護師を特定する看護師特定手段７１と、看護師業務支援サーバ１２からＬＡＮ１５，１６を通じて送信される画面データを受信する受信手段７２と、この受信手段７２で受信した画面データに基づいてディスプレイ２４１の画面を切り替える画面切替手段７３と、項目指定手段７４と、切替信号送信手段７５と、患者指定手段７６と、を有する。
【００３７】
項目指定手段７４は、キーボード２６の各固定キーの選択操作により患者に対して看護師が実施するものであって複数に分類された看護業務項目の内の一の看護業務項目を指定する。
【００３８】
切替信号送信手段７５は、ディスプレイ２４１の画面を、項目指定手段７４により指定された看護業務項目の情報を患者に対応付けて表示する画面へ切り替える信号を送信する。
【００３９】
患者指定手段７６は、ディスプレイ２４１に表示された画面上の所定の患者を、タッチパネルセンサ２４２等を介して指定する。
【００４０】
上述した看護師業務支援サーバ１２及び看護師業務支援携帯端末１４の各手段は後述するフローチャート及び画面表示例によって説明される。
【００４１】
図７は、看護師業務支援携帯端末１４のＣＰＵ３１が、看護師業務支援プログラム３２１に従って実行する画面表示処理の流れを示すフローチャートである。
【００４２】
図７に示すように、図示しない電源スイッチの投入により、看護師業務支援携帯端末１４の電源がオンすると、看護師業務支援携帯端末１４では、看護師業務支援プログラム３２１が起動する。このプログラム３２１の起動により、ＣＰＵ３１は、表示入力部２４Ａにログイン画面８０を表示させる（ステップＳ１）。
【００４３】
ログイン画面８０の一例を図８に示す。図８に示すように、ログイン画面８０には、看護師ＩＤの入力欄８１と、パスワードの入力欄８２と、ログインボタン８３とが表示される。そこで看護師は、テンキー部２４Ｂを操作して、入力欄８１，８２に自らの看護師ＩＤとパスワードを入力し、ログインボタン８３にタッチする。
【００４４】
ログイン画面８０を表示させたＣＰＵ３１は、ログインボタン８３がタッチされるまで待機する（ステップＳ２）。タッチパネルセンサ２４２の信号によりログインボタン８３のタッチ入力を検知すると（ステップＳ２のＹＥＳ）、ＣＰＵ３１は、ログイン画面８０の各入力欄８１，８２に入力されたデータ（看護師ＩＤ、パスワード）を含むログイン情報を、無線部３５を介して看護師業務支援サーバ１２に無線送信する（ステップＳ３）。このとき、ログイン情報のヘッダには、看護師業務支援携帯端末１４毎に設定される固有の端末ＩＤが付される。ここに、ステップＳ１〜Ｓ３の処理は、看護師特定手段７１を構成する。
【００４５】
一方、ログイン情報を受信した看護師業務支援サーバ１２では、業務画面作成アプリケーションプログラム１２８が起動する。このプログラム１２８により、看護師業務支援サーバ１２のＣＰＵ１２１は、図９に示すログイン情報受信処理を開始する。
【００４６】
先ず、ログイン情報に含まれる看護師ＩＤとパスワードとから看護師を承認するか否かを判定する（ステップＳ２１）。具体的には、予め各看護師の看護師ＩＤに関連付けてパスワードが設定されており、看護師ＩＤとともに入力されたパスワードが、当該看護師ＩＤと関連付けて設定されたパスワードと一致するか否かを判定する。
【００４７】
パスワードが一致しない場合、ＣＰＵ１２１はログインした看護師を承認しない。この場合（ステップＳ２２のＮＯ）、ＣＰＵ１２１は、ログイン情報に付された端末ＩＤを送信先に指定して、ログインエラーのコマンドとログインエラー画面のデータとを送信する（ステップＳ２３）。
【００４８】
パスワードが一致する場合、ＣＰＵ１２１はログインした看護師を承認する。この場合（ステップＳ２２のＹＥＳ）、ＣＰＵ１２１は、ログイン情報に含まれる看護師ＩＤを取得する。そして、患者データベース１１１、看護師データベース１１２及び病室データベース１１３のデータを基に、当該看護師ＩＤで識別される看護師のワークシート画面９０を作成する（ステップＳ２４）。そして、ログイン情報に付された端末ＩＤを送信先に指定して、ログイン許可のコマンドとともに看護師ワークシート画面９０のデータを送信する（ステップＳ２５）。
【００４９】
こうして、看護師業務支援サーバ１２から送信されるコマンドと画面のデータは、無線基地局１３から無線ＬＡＮ１６を介して無線送信され、送信先に指定された端末ＩＤの看護師業務支援携帯端末１４にて受信される。
【００５０】
ステップＳ３にてログイン情報を送信した看護師業務支援携帯端末１４のＣＰＵ３１は、看護師業務支援サーバ１２からのコマンドを待機する（ステップＳ４：受信手段７２）。ここで、ログインエラーのコマンドを受信した場合には（ステップＳ４のＮＯ）、ＣＰＵ３１は、表示入力部２４Ａの画面を、そのコマンドとともに受信したログインエラー画面に切り替える。
【００５１】
これに対し、ログイン許可のコマンドを受信した場合には（ステップＳ４のＹＥＳ）、ＣＰＵ３１は、表示入力部２４Ａの画面を、そのコマンドとともに受信した看護師ワークシート画面９０に切り替える（ステップＳ５：画面切替手段７３）。
【００５２】
ここで、図１０〜図１２は、看護師ワークシート画面９０の一例を示す正面図である。図１０〜図１２に示すように、看護師ワークシート画面９０は、画面に向かって左側が患者を一覧表示する患者情報の表示欄９１となっており、右側が看護項目の表示欄９２となっている。そして表示欄９１には、ログインした看護師が担当する病室ＩＤと患者名が表示され、表示欄９２にはその患者に対する各種の看護業務項目に対応する処置内容を示す１乃至複数の看護情報が表示される。表示欄９１及び９２は、それぞれ患者別に領域が区切られている。
【００５３】
表示欄９２に看護師ワークシートとして表示される患者に対する各種の看護業務項目としては、キーボード２６の看護業務項目にかかる固定キー２６ａ〜２６ｄにそれぞれ対応する「業務予定」、「ケア予定」、「検査予定」、「計測予定」がある。ログイン許可のコマンドを受信した際の看護師ワークシート画面９０は、看護師ワークシートのデフォルト画面として「業務予定」に対応する業務予定画面が表示される。このように「業務予定」を看護師ワークシートのデフォルト画面としたのは、最初に閲覧されることが多いと考えられるからである。
【００５４】
図１０に示す看護師ワークシート画面９０は、ページメモリ５２に記憶される１ページ目の画面データであって、次ページ（図１１に示す看護師ワークシート画面９０）への切替を宣言する次ページボタン９４が表示されている。
【００５５】
図１１に示す看護師ワークシート画面９０は、ページメモリ５２に記憶される２ページ目の画面データであって、前ページ（図１０に示す看護師ワークシート画面９０）への切替を宣言する前ページボタン９５および次ページ（図１２に示す看護師ワークシート画面９０）への切替を宣言する次ページボタン９４が表示されている。
【００５６】
図１２に示す看護師ワークシート画面９０は、ページメモリ５２に記憶される３ページ目の画面データであって、前ページ（図１１に示す看護師ワークシート画面９０）への切替を宣言する前ページボタン９５が表示されている。
【００５７】
図１０〜図１２に示した看護師ワークシート画面９０の例は、患者名［ＡＡＡＡ］，［ＢＢＢＢ］，［ＣＣＣＣ］，［ＤＤＤＤ］，［ＥＥＥＥ］，［ＦＦＦＦ］，［ＧＧＧＧ］，［ＨＨＨＨ］，［ＪＪＪＪ］の計９名の患者を担当する看護師に対するワークシート画面９０である。この看護師は、患者名［ＡＡＡＡ］の患者に対しては２項目の看護予定を、［ＢＢＢＢ］の患者に対しては４項目の看護予定を、［ＣＣＣＣ］の患者に対しては３項目の看護予定を、［ＤＤＤＤ］の患者に対しては２項目の看護予定を、［ＥＥＥＥ］のの患者に対しては５項目の看護予定を、［ＦＦＦＦ］の患者に対しては３項目の看護予定を、［ＧＧＧＧ］の患者に対しては５項目の看護予定を、［ＨＨＨＨ］の患者に対しては４項目の看護予定を、［ＪＪＪＪ］の患者に対しては３項目の看護予定を計画している。
【００５８】
図７のフローチャートに戻り、ＣＰＵ３１は、キーボード２６の固定キーのうち看護業務項目にかかるいずれかの固定キー２６ａ〜２６ｄが入力されるか（ステップＳ６）、画面９０がタッチ入力されるまで待機する（ステップＳ７）。
【００５９】
キーボード２６の固定キーのうち看護業務項目にかかるいずれかの固定キー２６ａ〜２６ｄの入力を検知すると（ステップＳ６のＹＥＳ：項目指定手段７４）、ＣＰＵ３１は、入力された固定キー２６ａ〜２６ｄの情報を取得する。例えばＣＰＵ３１は、取得した固定キー「ケア」と表示入力部２４Ａに表示中の画面情報とを含むキー入力情報を、無線部３５を介して看護師業務支援サーバ１２に無線送信する（ステップＳ１１：切替信号送信手段７５）。このとき、キー入力情報のヘッダには端末ＩＤが付される。
【００６０】
また、タッチパネルセンサ２４２の信号により画面９０のタッチ入力を検知すると（ステップＳ７のＹＥＳ：患者指定手段７６）、ＣＰＵ３１は、タッチ位置を示す座標情報を取得する。例えばＣＰＵ３１は、タッチパネル２４の左下の角をＸ−Ｙ平面の原点（０，０）とし、この原点からタッチ位置までの距離を求めて、二次元座標（Ｘ，Ｙ）に変換する。そして、取得した二次元座標と表示入力部２４Ａに表示中の画面情報とを含む画面タッチ情報を、無線部３５を介して看護師業務支援サーバ１２に無線送信する（ステップＳ８：切替信号送信手段７５）。このときも、画面タッチ情報のヘッダには端末ＩＤが付される。
【００６１】
キー入力情報を受信した看護師業務支援サーバ１２では、業務画面作成アプリケーションプログラム１２８が再び起動する。このプログラム１２８により、看護師業務支援サーバ１２のＣＰＵ１２１は、図１３に示すキー入力情報受信処理を開始する。
【００６２】
先ず、ＣＰＵ１２１は、キー入力情報に含まれる画面情報を取得する（ステップＳ３１）。また、キー入力情報に含まれる入力された固定キー（例えば、固定キー「ケア」２６ｂ）の情報を取得する（ステップＳ３２：画面切替信号受信手段６３）。
【００６３】
次に、ＣＰＵ１２１は、患者データベース１１１、看護師データベース１１２及び病室データベース１１３のデータを基に、入力された固定キー（例えば、固定キー「ケア」２６ｂ）に対応する看護業務項目（例えば、「ケア予定」）の看護師ワークシートである看護業務項目画面（例えば、ケア予定画面）を作成する（ステップＳ３３：画面作成手段６２）。そして、上記端末ＩＤを送信先に指定して、この看護業務項目画面のデータを送信する（ステップＳ３４：画面送信手段６４）。
【００６４】
ステップＳ８にてキー入力情報を送信した看護師業務支援携帯端末１４のＣＰＵ３１は、看護師業務支援サーバ１２からの画面データを待機する（ステップＳ９：受信手段７２）。そして、画面データを受信したならば（ステップＳ９のＹＥＳ）、ＣＰＵ３１は、表示入力部２４Ａの画面を受信データの画面に切り替える（ステップＳ１０：画面切替手段７３）。しかる後、ＣＰＵ３１は再び、キーボード２６の固定キーが入力されるか（ステップＳ６）、画面９０がタッチされるまで待機する（ステップＳ７）。
【００６５】
ここで、図１４は、切り替え後の看護師ワークシート画面９０の一例を示す正面図である。図１４に示すように、切り替え後の看護師ワークシート画面９０の表示欄９２は、図１０に示した業務予定画面からケア予定画面に看護師ワークシートが切り替えられている。なお、患者情報の表示欄９１は、図１０に示したものと同じである。すなわち、看護師ワークシート画面９０が、患者を一覧表示する患者情報の表示欄９１を維持しつつ、キーボード２６の固定キーにより指定された看護業務項目が複数の看護業務項目の１つとして選択された画面へと看護項目の表示欄９２が切り替えられる。
【００６６】
一方、画面タッチ情報を受信した看護師業務支援サーバ１２では、業務画面作成アプリケーションプログラム１２８が再び起動する。このプログラム１２８により、看護師業務支援サーバ１２のＣＰＵ１２１は、図１５に示す画面タッチ情報受信処理を開始する。
【００６７】
先ず、ＣＰＵ１２１は、画面タッチ情報に含まれる画面情報を取得する（ステップＳ４１）。また、画面タッチ情報に含まれるタッチ位置の二次元座標を取得する（ステップＳ４２）。そして、この二次元座標を画面情報に当て嵌めて、タッチ位置に表示されている情報を認識する（ステップＳ４３：画面切替信号受信手段６３）。
【００６８】
次に、ＣＰＵ１２１は、患者データベース１１１、看護師データベース１１２及び病室データベース１１３のデータを基に、タッチ位置に表示されている情報が選択されたときの業務画面を作成する（ステップＳ４４：画面作成手段６２）。そして、上記端末ＩＤを送信先に指定して、この業務画面のデータを送信する（ステップＳ４５：画面送信手段６４）。
【００６９】
例えば、看護師ワークシート画面９０の表示欄９１または表示欄９２がタッチされた場合、タッチされた表示欄９１または表示欄９２に対応する患者別の各種の看護業務項目（業務予定、ケア予定、検査予定、計測予定等）についての入力画面（患者別ワークシート画面）を作成し、送信する。
【００７０】
ステップＳ８にて画面タッチ情報を送信した看護師業務支援携帯端末１４のＣＰＵ３１は、看護師業務支援サーバ１２からの画面データを待機する（ステップＳ９：受信手段７２）。そして、画面データを受信したならば（ステップＳ９のＹＥＳ）、ＣＰＵ３１は、表示入力部２４Ａの画面を受信データの画面に切り替える（ステップＳ１０：画面切替手段７３）。しかる後、ＣＰＵ３１は再び、キーボード２６の固定キーが入力されるか（ステップＳ６）、切り替えられた画面がタッチされるまで待機する（ステップＳ７）。
【００７１】
ここで、図１６は、切り替え後の患者別ワークシート画面１００の一例を示す正面図である。図１６に示す患者別ワークシート画面１００の例は、タッチされた表示欄９１または表示欄９２に対応する患者名［ＡＡＡＡ］毎に、看護業務項目（業務予定、ケア予定、計測予定、検査予定等）についての入力画面を表示する対象患者の詳細看護業務画面である。図１６に示すように、患者別ワークシート画面１００は、複数ページに渡る場合、図１０〜図１２に示した看護師ワークシート画面９０と同様に次ページボタン１０４（または、図示しない前ページボタン）でスクロール可能である。
【００７２】
以上のように、本実施形態によれば、看護師業務支援携帯端末１４のディスプレイ２４１のサイズが小さく１画面に表示できる情報量が少ない場合であっても、ディスプレイ２４１とは別に設けられたキーボード２６の固定キーのうち看護業務項目にかかるいずれかの固定キー２６ａ〜２６ｄの入力に応じて、入力された固定キー（例えば、固定キー「ケア」２６ｂ）に対応する看護業務項目（例えば、「ケア予定」）の看護業務項目画面（例えば、ケア予定画面）に切り替えることができるので、画面が小さな看護師業務支援携帯端末１４であっても、画面上に機能ボタンを配置することなく、使い勝手の向上を図ることができる。
【００７３】
なお、前記実施形態は、看護師業務支援サーバ１２の内部のプログラム記憶部であるＲＯＭ３２に発明の機能を実現させる画面作成プログラム、すなわち看護師業務支援プログラムが予め記録されているものとした。しかしこれに限らず、同様のプログラムがネットワークからサーバ１２にダウンロードされてもよい。あるいは、記録媒体に記録された同様のプログラムが、サーバ１２にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００７４】
また、前記実施形態は、看護師業務支援サーバ１２で作成した画面データに従って看護師業務支援携帯端末１４のディスプレイ２４１の画面を切り替えるようにしたが、これに限るものではない。例えば、看護師業務支援携帯端末１４に看護師業務支援サーバ１２の業務画面作成アプリケーションプログラム１２８と同様のアプリケーションプログラムを実装し、このアプリケーションプログラムが病院基幹データベース１１０に記録されている患者、看護師、病室などに関するデータを基に看護師業務支援携帯端末１４のディスプレイ２４１に表示させるための画面を作成するようにしても良い。このように看護師業務支援携帯端末１４内で画面データを作成する場合には、画面切替手段７３および切替信号送信手段７５が、看護師業務支援携帯端末１４のディスプレイ２４１の画面を、所定の画面へ切り替える切替手段として機能する。
【００７５】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１２      画面作成サーバ
１４      携帯端末
２６      キーボード
６２      画面作成手段
６３      画面切替信号受信手段
６４      画面送信手段
７２      受信手段
７３      画面切替手段、切替手段
７４      項目指定手段
７５      切替信号送信手段、切替手段
７６      患者指定手段
２４１    ディスプレイ
【先行技術文献】
【特許文献】
【００７７】
【特許文献１】特開２００８−１５８２０号公報
【図１】
0005592417.tif 000002
【図２】
0005592417.tif 000003
【図３】
0005592417.tif 000004
【図４】
0005592417.tif 000005
【図５】
0005592417.tif 000006
【図６】
0005592417.tif 000007
【図７】
0005592417.tif 000008
【図８】
0005592417.tif 000009
【図９】
0005592417.tif 000010
【図１０】
0005592417.tif 000011
【図１１】
0005592417.tif 000012
【図１２】
0005592417.tif 000013
【図１３】
0005592417.tif 000014
【図１４】
0005592417.tif 000015
【図１５】
0005592417.tif 000016
【図１６】
0005592417.tif 000017